(57)【要約】【課題】乗りかご内の環境を安価で快適な状態に保つことができるエレベータ遠隔監視システムの提供。【解決手段】本発明の監視センタ３は、ファン７の動作件数及び停止件数を地域Ａ〜Ｃ毎にそれぞれ演算する演算部１９Ａと、演算部１９Ａによって演算された動作件数が所定の第１閾値に達した地域があるかどうかを判定すると共に、停止件数が所定の第２閾値に達した地域があるかどうかを判定する地域判定部１９Ｂと、この地域判定部１９Ｂによって動作件数が所定の第１閾値に達した地域があると判定されたとき、当該地域の各エレベータ制御装置９に対して動作制御指令を送信し、地域判定部１９Ｂによって停止件数が所定の第２閾値に達した地域があると判定されたとき、当該地域の各エレベータ制御装置９に対して停止制御指令を送信する制御指令送信部１９Ｃとを含む。【選択図】図１
2016044069.tif 000002
【特許請求の範囲】
【請求項１】
地域毎に設置された複数のエレベータと、前記エレベータの異常を検出して通報する監視端末と、この監視端末と通信回線を介して接続され、前記エレベータの状態を遠隔的に監視する監視センタとを備え、
前記エレベータは、昇降路内を昇降する乗りかごと、前記乗りかご内を換気するファンと、前記ファンの運転を制御するファン運転制御部とを含むエレベータ遠隔監視システムにおいて、
前記ファンの運転状態を前記監視センタへ通知するファン運転状態通知部を備え、
前記監視センタは、
前記ファン運転状態通知部によって通知された前記ファンの運転状態が動作状態である動作件数又は前記ファンの運転状態が停止状態である停止件数を前記地域毎に演算する演算部と、
この演算部によって演算された前記動作件数が所定の第１閾値に達した地域があるかどうか、又は前記停止件数が所定の第２閾値に達した地域があるかどうかを判定する地域判定部と、
前記地域判定部によって前記動作件数が前記所定の第１閾値に達した地域があると判定されたとき、当該地域に属する前記各エレベータの前記ファンを動作させる制御指令を前記ファン運転制御部へ送信し、又は前記地域判定部によって前記停止件数が前記所定の第２閾値に達した地域があると判定されたとき、当該地域に属する前記各エレベータの前記ファンを停止させる制御指令を前記ファン運転制御部へ送信する制御指令送信部とを含むことを特徴とするエレベータ遠隔監視システム。
【発明の詳細な説明】
【技術分野】
【０００１】
本発明は、エレベータの状態を遠隔的に監視するエレベータ遠隔監視システムに係り、特に乗りかご内を換気するファンの運転を制御するのに好適なエレベータ遠隔監視システムに関する。
【背景技術】
【０００２】
一般に、エレベータは、昇降路内を昇降する乗りかごを備えており、この乗りかご内の環境は、乗客の人数、温度、湿度、及び季節等によって変化する。そのため、エレベータには、乗りかご内を換気するファンが設けられており、このファンが回転することによって乗りかご内の環境を快適に保つようにしている。このようなエレベータでは、ファンの運転の切替は、エレベータが設置されたビルを管理する管理人又はエレベータの保守作業を行う保守員によって、乗りかご内に設けられたファン専用スイッチを操作して行われている。
【０００３】
ところで、ビルの管理人は、エレベータの乗客からクレームを受けることにより、乗りかご内の乗客が室内の環境に対して不快に感じている状態が判明した後、ファン専用スイッチを操作してファンを動作させたり、あるいはビルの管理人が不在である場合には、エレベータの保守員が呼び出しを受けることにより、当該エレベータのビルへ出動した後、ファン専用スイッチを操作してファンを動作させていた。そのため、乗りかご内の環境の変化に対してファンの運転を迅速に切替えることができず、乗りかご内の乗客に不快感を与える虞があった。
【０００４】
そこで、乗りかごに設置されたかご内環境を感知するかご内環境感知手段と、乗りかごに設置されたファンの運転を制御するファン運転制御手段と、かご内環境感知手段により得られた環境データと遠隔監視センタ内に設置された記憶手段に予め記憶されているかご運転データ等とに基づいてかご内環境最適条件を設定するかご内環境最適条件設定手段と、このかご内環境最適条件設定手段によって得られたかご内環境最適条件に基づいてファンの運転を指令するファン運転指令手段とを、遠隔監視センタに設けたエレベータ用かご内ファンの自動制御装置が従来技術の１つとして提案されている（例えば、特許文献１参照）。
【０００５】
この従来技術のエレベータ用かご内ファンの自動制御装置は、かご内環境最適条件設定手段によって設定されたかご内環境最適条件に基づいたファン運転指令手段からの指令によりファン運転制御手段を作動させるようにしているので、ビルの管理人やエレベータの保守員の手を煩わすことなく、乗りかご内を自動的に快適な環境にすることができる。
【先行技術文献】
【特許文献】
【０００６】
【特許文献１】特開２００２−２００６０号公報
【発明の概要】
【発明が解決しようとする課題】
【０００７】
しかし、特許文献１に開示された従来技術のエレベータ用かご内ファンの自動制御装置では、かご内環境感知手段として、例えば、乗りかご内の温度、湿度、においの強さあるいは空気の汚れ度合等の乗りかご内の環境を感知するセンサを乗りかご内に設置する必要があるので、このセンサ自体が高価であったり、あるいは専門技術者によるセンサの施工費がかかることが問題になっている。さらに、建物に設置されたエレベータが稼働してからある程度の時間が経過した後に、センサを乗りかご内に後付けする場合には、エレベータ等の設計変更やセンサの施工に対して多大なコストを費やすことが懸念されている。
【０００８】
本発明は、このような従来技術の実情からなされたもので、その目的は、乗りかご内の環境を安価で快適な状態に保つことができるエレベータ遠隔監視システムを提供することにある。
【課題を解決するための手段】
【０００９】
上記の目的を達成するために、本発明のエレベータ遠隔監視システムは、地域毎に設置された複数のエレベータと、前記エレベータの異常を検出して通報する監視端末と、この監視端末と通信回線を介して接続され、前記エレベータの状態を遠隔的に監視する監視センタとを備え、前記エレベータは、昇降路内を昇降する乗りかごと、前記乗りかご内を換気するファンと、前記ファンの運転を制御するファン運転制御部とを含むエレベータ遠隔監視システムにおいて、前記ファンの運転状態を前記監視センタへ通知するファン運転状態通知部を備え、前記監視センタは、前記ファン運転状態通知部によって通知された前記ファンの運転状態が動作状態である動作件数又は前記ファンの運転状態が停止状態である停止件数を前記地域毎に演算する演算部と、この演算部によって演算された前記動作件数が所定の第１閾値に達した地域があるかどうか、又は前記停止件数が所定の第２閾値に達した地域があるかどうかを判定する地域判定部と、前記地域判定部によって前記動作件数が前記所定の第１閾値に達した地域があると判定されたとき、当該地域に属する前記各エレベータの前記ファンを動作させる制御指令を前記ファン運転制御部へ送信し、又は前記地域判定部によって前記停止件数が前記所定の第２閾値に達した地域があると判定されたとき、当該地域に属する前記各エレベータの前記ファンを停止させる制御指令を前記ファン運転制御部へ送信する制御指令送信部とを含むことを特徴としている。
【発明の効果】
【００１０】
本発明のエレベータ遠隔監視システムによれば、乗りかご内の環境を安価で快適な状態に保つことができる。前述した以外の課題、構成及び効果は、以下の実施形態の説明により明らかにされる。
【図面の簡単な説明】
【００１１】
【図１】本発明に係るエレベータ遠隔監視システムの一実施形態の構成を示す図である。
【図２】本実施形態に係る監視センタによって遠隔的に行われるファンの運転の制御について説明する図である。
【図３】本実施形態に係る監視センタの制御処理を説明するフローチャートである。
【図４】本実施形態に係る監視端末の制御処理を説明するフローチャートである。
【発明を実施するための形態】
【００１２】
以下、本発明に係るエレベータ遠隔監視システムを実施するための形態を図に基づいて説明する。
【００１３】
本発明に係るエレベータ遠隔監視システムの一実施形態は、例えば図１、図２に示すように、地域Ａ〜Ｃ毎に設置された複数のエレベータ１と、これらの各エレベータ１に設置され、各エレベータ１の異常を検出して通報する複数の監視端末２と、これらの各監視端末２と通信回線としての公衆回線網４を介して接続され、各エレベータ１の状態を遠隔的に監視する監視センタ３とを備えている。なお、各監視端末２は、例えば、各エレベータ１と同一の建物内に設置されている。
【００１４】
本実施形態では、以下の説明を分かり易くするために、例えば、市町村単位で予め設定された地域Ａ、地域Ｂ、及び地域Ｃの３つの地域を一例として挙げているが、地域を設定する単位や地域数は、必ずしも上述した場合に限定されるものではない。また、本実施形態では、地域Ａ〜Ｃ毎に複数のエレベータ１が設置されているが、これら各エレベータ１の構成はそれぞれ同等であるので、図１において便宜的に複数のエレベータ１のうち１台のみ図示し、各エレベータ１の構成及び作用について重複する説明を省略する。同様に、各監視端末２の構成はそれぞれ同等であるので、図１において便宜的に複数の監視端末２のうち１台のみ図示し、各監視端末２の構成及び作用について重複する説明を省略する。
【００１５】
図１に示すように、各エレベータ１は、地域Ａ〜Ｃに属する各建物の昇降路内に配置された乗りかご６と、図示されないが、この乗りかご６と主ロープを介して吊下げられた釣合い錘と、主ロープが巻き掛けられ、回転駆動することで乗りかご６及び釣合い錘を相対的に昇降させる巻上機と、乗りかご６の運転を操作する操作盤とを含んでいる。
【００１６】
また、各エレベータ１は、乗りかご６に設けられ、乗りかご６内を換気するファン７と、乗りかご６内に設けられ、ファン７の運転を手動で操作するファンスイッチ８と、巻上機やファン７のようにエレベータ１に設置された各機器の動作を制御するエレベータ制御装置９とを含んでいる。
【００１７】
ファン７は、例えば、乗りかご６の天井に取り付けられており、回転することによって乗りかご６と昇降路との間で空気の入れ替えを行うものである。ファンスイッチ８は、例えば、乗りかご６内の操作盤に取付けられたＯＮ・ＯＦＦスイッチから成り、このＯＮ・ＯＦＦスイッチの操作信号はエレベータ制御装置９へ入力される。
【００１８】
エレベータ制御装置９は、巻上機を回転駆動して乗りかご６の昇降動作を制御するものであり、またファン７の運転を制御するファン運転制御部としての機能も有している。エレベータ制御装置９は、ファンスイッチ８がＯＮ状態に操作されることにより、ファン７の運転状態を動作状態に切替え、ファンスイッチ８がＯＦＦ状態に操作されることにより、ファン７の運転状態を停止状態に切替える制御を行う。なお、ファン７の運転状態が動作状態であるとは、ファン７が回転して乗りかご６内を換気している状態であり、ファン７の運転状態が停止状態であるとは、ファン７の回転が停止して乗りかご６内を換気していない状態である。
【００１９】
監視端末２は、エレベータ制御装置４に通信ケーブル等で通信接続された対エレベータ用送受信部１１と、外部の監視センタ３と公衆回線網４を介して通信接続された対監視センタ用送受信部１２と、乗りかご６のファン７の運転状態等の各種の情報を記憶する記憶部１３と、これらの対エレベータ用送受信部１１、対監視センタ用送受信部１２、及び記憶部１３の動作を制御する制御部１４とを含んでいる。
【００２０】
対エレベータ用送受信部１１は、エレベータ制御装置４との間で各種のデータや信号の送受信を行うものである。対監視センタ用送受信部１２は、監視センタ３との間で各種のデータや信号の送受信を行うものである。
【００２１】
記憶部１３は、例えば、制御部１４で実行されるプログラムを格納するＲＯＭ（Ｒｅａｄ  Ｏｎｌｙ  Ｍｅｍｏｒｙ）、エレベータ制御装置９及び監視センタ３に対して送受信する情報を固定的に記憶するＨＤＤ（Ｈａｒｄ  Ｄｉｓｋ  Ｄｒｉｖｅ）、及び制御部１４がプログラムを実行する際の作業領域となるＲＡＭ（Ｒａｎｄｏｍ  Ａｃｃｅｓｓ  Ｍｅｍｏｒｙ）を含むハードウェアから構成されている。
【００２２】
制御部１４は、例えば、記憶部１３に記憶されたプログラムを実行して各種の演算を行うマイコンとして機能する。そして、制御部１４は、対エレベータ用送受信部１１及びエレベータ制御装置９を介してエレベータ１の状態を監視しており、エレベータ１の状態が異常であることを検出した場合に、対監視センタ用送受信１２を介してエレベータ１の異常信号を監視センタ３へ送信する。また、制御部１４は、ファン７の運転状態を監視センタ３へ通知するファン運転状態通知部１４Ａを具備している。
【００２３】
このファン運転状態通知部１４Ａは、対エレベータ用送受信部１１によって入力されたファンスイッチ８の操作信号に基づいて、ファン７の運転状態を判別する。そして、ファン運転状態通知部１４Ａは、ファン７の運転状態が動作状態であると判別した場合に、対監視センタ用送受信部１２を介してファン７の動作状態信号を監視センタ３へ送信する。
【００２４】
一方、ファン運転状態通知部１４Ａは、ファン７の運転状態が停止状態であると判別した場合に、対監視センタ用送受信部１２を介してファン７の停止状態信号を監視センタ３へ送信する。従って、ファンスイッチ８がＯＮ状態又はＯＦＦ状態に操作されると、ファンスイッチ８のＯＮ状態又はＯＦＦ状態の操作信号がエレベータ制御装置９から監視端末２に送信された後、ファン７の動作状態信号及び停止状態信号のいずれかを示す運転状態信号が監視端末２から監視センタ３へ送信されることになる。
【００２５】
監視センタ３は、外部の監視端末２と公衆回線網４を介して通信接続された対監視端末用送受信部１６と、後述する地域Ａ〜Ｃ毎のファン７の動作件数等の各種の情報を記憶する記憶部１７と、地域Ａ〜Ｃに属する各エレベータ１の物件情報を登録する物件データベース（図１では、便宜的にデータベースをＤＢと略記する）１８Ａ〜１８Ｃと、これらの対監視端末用送受信部１６、記憶部１７、物件データベース１８Ａ〜１８Ｃの動作を制御する制御部１９と、地域Ａ〜Ｃに属する各エレベータ１の物件情報を入力すると共に、各種の情報を映像により出力する入出力部２０とを含んでいる。
【００２６】
対監視端末用送受信部１６は、監視端末２との間で各種のデータや信号の送受信を行うものである。記憶部１７は、例えば、監視端末２の記憶部１３と同様に、制御部１９で実行されるプログラムを格納するＲＯＭ、監視端末２に対して送受信する情報や入出力部２０によって入力された情報等を固定的に記憶するＨＤＤ、及び制御部１９がプログラムを実行する際の作業領域となるＲＡＭ等の記憶装置を含むハードウェアから構成されている。また、記憶部１７は、監視センタ３によってファン７が遠隔的に動作したかどうかを示す動作フラグ、及び監視センタ３によってファン７が遠隔的に停止したかどうかを示す停止フラグの情報を記憶する。
【００２７】
各物件データベース１８Ａ〜１８Ｃは、例えば、情報を固定的に記憶するＨＤＤ等の記憶装置から構成されており、物件データベース１８Ａは、物件情報として例えば、地域Ａに属する各エレベータ１を識別する識別番号、地域Ａに属する各エレベータ１が設置された建物の住所、及び地域Ａに属する各エレベータ１におけるファン７の設置台数等の情報を格納している。
【００２８】
物件データベース１８Ｂは、物件情報として例えば、地域Ｂに属する各エレベータ１を識別する識別番号、地域Ｂに属する各エレベータ１が設置された建物の住所、及び地域Ｂに属する各エレベータ１におけるファン７の設置台数等の情報を格納している。物件データベース１８Ｃは、物件情報として例えば、地域Ｃに属する各エレベータ１を識別する識別番号、地域Ｃに属する各エレベータ１が設置された建物の住所、及び地域Ｃに属する各エレベータ１におけるファン７の設置台数等の情報を格納している。
【００２９】
制御部１９は、例えば、物件データベース１８Ａ〜１８Ｃに登録された物件情報を参照しながら記憶部１７に記憶されたプログラムを実行することにより、各種の演算を行うマイコンとして機能する。
【００３０】
具体的には、制御部１９は、ファン運転状態通知部１４によって通知されたファン７の運転状態が動作状態である動作件数を地域Ａ〜Ｃ毎に演算すると共に、ファン運転状態通知部１４によって通知されたファン７の運転状態が停止状態である停止件数を地域Ａ〜Ｃ毎に演算する演算部１９Ａと、この演算部１９Ａによって演算されたファン７の動作件数が所定の第１閾値に達した地域があるかどうかを判定すると共に、演算部１９Ａによって演算されたファン７の停止件数が所定の第２閾値に達した地域があるかどうかを判定する地域判定部１９Ｂとを含んでいる。
【００３１】
さらに、制御部１９は、地域判定部１９Ｂによってファン７の動作件数が所定の第１閾値に達した地域があると判定されたとき、当該地域に属する各エレベータ１のファン７を動作させる制御指令（以下、便宜的に動作制御指令と称する）を、監視端末２を介してエレベータ制御装置９へ送信し、地域判定部１９Ｂによってファン７の停止件数が所定の第２閾値に達した地域があると判定されたとき、当該地域に属する各エレベータ１のファン７を停止させる制御指令（以下、便宜的に停止制御指令と称する）を、監視端末２を介してエレベータ制御装置９へ送信する制御指令送信部１９Ｃとを含んでいる。
【００３２】
ここで、上述の第１閾値及び第２閾値は、任意で設定可能であり、それぞれ同じ値であっても良いし、それぞれ異なる値であっても良い。具体例として、第１閾値及び第２閾値を、物件データベース１８Ａ〜１８Ｃに登録された全物件情報に含まれるエレベータ１のファン７に対して３％の値にそれぞれ設定したり、１０件等のように固定した値としてそれぞれ設定することができる。
【００３３】
従って、地域Ａ〜Ｃのうち、例えば図２に示すように、地域Ｂにおけるファン７の動作件数が所定の第１閾値（図２に示す例では３件）に達した場合には、制御指令送信部１９Ｃによって動作制御指令が監視センタ３から監視端末２を介して地域Ｂの各エレベータ１のエレベータ制御装置９へ送信されるので、これらのエレベータ制御装置９によって地域Ｂに属する全てのエレベータ１のファン７が一斉に動作する。
【００３４】
入出力部２０は、例えば、監視センタ３内のユーザが操作するマウスやキーボード等の操作装置、及び映像を表示する液晶ディスプレイ等の表示装置を含むパソコンから構成されており、このパソコンの操作装置の操作を通じてユーザの入力を受け付けたり、表示装置の映像を通じて監視対象である地域Ａ〜Ｃの各エレベータ１に関する情報等をユーザに提供したりするユーザインターフェースとして機能する。
【００３５】
次に、本実施形態に係る監視センタ３の制御処理について、図３を参照して詳細に説明する。
【００３６】
図３は監視センタ３の制御処理の流れを示すフローチャートである。
【００３７】
図３に示すように、まず監視センタ３の制御部１９は、監視端末２から対監視端末用送受信部１６を介して乗りかご６のファン７の運転状態信号を受信したかどうかを検知する（ステップ（以下、Ｓと記す）３０１）。このとき、制御部１９は、乗りかご６のファン７の運転状態信号を受信していないことを検知すると（Ｓ３０１／ＮＯ）、Ｓ３０１の制御処理が繰り返される。
【００３８】
一方、Ｓ３０１において、制御部１９は、ファン７の運転状態信号を受信したことを検知すると（Ｓ３０１／ＹＥＳ）、受信した信号の送信元のエレベータ１の識別番号を基に物件データベース１８Ａ〜１８Ｃの物件情報を検索することにより、当該送信元の地域を特定する（Ｓ３０２）。制御部１９は、Ｓ３０１において受信したファン７の運転状態信号が動作状態信号であるかどうかを判定する（Ｓ３０３）。
【００３９】
Ｓ３０３において、制御部１９は、ファン７の運転状態信号が動作状態信号であると判定すると（Ｓ３０３／ＹＥＳ）、記憶部１７に記憶された情報を参照することにより、Ｓ３０２において特定した地域に対応する動作フラグがＯＮ状態になっているかどうか、すなわち監視センタ３によるファン７の運転の遠隔的な制御によって当該地域の各エレベータ１のファン７が既に一斉に動作しているかどうかを確認する（Ｓ３０４）。このとき、制御部１９は、当該地域に対応する動作フラグがＯＮ状態になっていると判定すると（Ｓ３０４／ＹＥＳ）、Ｓ３０１からの制御処理が行われる。
【００４０】
Ｓ３０４において、制御部１９は、当該地域に対応する動作フラグがＯＮ状態になっていない、すなわちＯＦＦ状態になっていると判定すると（Ｓ３０４／ＮＯ）、制御部１９の演算部１９Ａは、内部において地域Ａ〜Ｃ毎に設定された動作カウンタ（図示せず）のうち、Ｓ３０２において特定した地域に対応する動作カウンタをインクリメントすることにより、当該地域に属するエレベータ１のファン７の動作件数を演算する（Ｓ３０５）。
【００４１】
次に、制御部１９の地域判定部１９Ｂは、演算部１９Ａによって演算された当該地域に属するエレベータ１のファン７の動作件数が所定の第１閾値に達しているかどうかを判定する（Ｓ３０６）。このとき、地域判定部１９Ｂは、当該地域に属するエレベータ１のファン７の動作件数が所定の第１閾値に達していないと判定すると（Ｓ３０６／ＮＯ）、Ｓ３０１からの制御処理が行われる。
【００４２】
一方、Ｓ３０６において、地域判定部１９Ｂは、当該地域に属するエレベータ１のファン７の動作件数が所定の第１閾値に達していると判定すると（Ｓ３０６／ＹＥＳ）、制御部１９の制御指令送信部１９Ｃは、対監視端末用送受信部１６を介して当該地域に対する動作制御指令を監視端末２へ送信する（Ｓ３０７）。
【００４３】
そして、制御部１９は、当該地域に対応する動作フラグをＯＮ状態にした後（Ｓ３０８）、内部において地域Ａ〜Ｃ毎に設定された停止カウンタ（図示せず）のうち、Ｓ３０２において特定した地域に対応する停止カウンタを０に設定し（Ｓ３０９）、Ｓ３０１からの制御処理が繰り返される。
【００４４】
Ｓ３０３において、制御部１９は、ファン７の運転状態信号が動作状態信号でない、すなわち停止状態信号であると判定すると（Ｓ３０３／ＮＯ）、記憶部１７に記憶された情報を参照することにより、Ｓ３０２において特定した地域に対応する停止フラグがＯＮ状態になっているかどうか、すなわち監視センタ３によるファン７の運転の遠隔的な制御によって当該地域に属する各エレベータ１のファン７が既に一斉に停止しているかどうかを確認する（Ｓ３１０）。このとき、制御部１９は、当該地域に対応する停止フラグがＯＮ状態になっていると判定すると（Ｓ３１０／ＹＥＳ）、Ｓ３０１からの制御処理が行われる。
【００４５】
Ｓ３１０において、制御部１９は、当該地域に対応する停止フラグがＯＮ状態になっていない、すなわちＯＦＦ状態になっていると判定すると（Ｓ３１０／ＮＯ）、制御部１９の演算部１９Ａは、内部において地域Ａ〜Ｃ毎に設定された停止カウンタ（図示せず）のうち、Ｓ３０２において特定した地域に対応する停止カウンタをインクリメントすることにより、当該地域に属するエレベータ１のファン７の停止件数を演算する（Ｓ３１１）。
【００４６】
次に、制御部１９の地域判定部１９Ｂは、演算部１９Ａによって演算された当該地域に属するエレベータ１のファン７の停止件数が所定の第２閾値に達しているかどうかを判定する（Ｓ３１２）。このとき、地域判定部１９Ｂは、当該地域に属するエレベータ１のファン７の停止件数が所定の第２閾値に達していないと判定すると（Ｓ３１２／ＮＯ）、Ｓ３０１からの制御処理が行われる。
【００４７】
一方、Ｓ３１２において、地域判定部１９Ｂは、当該地域に属するエレベータ１のファン７の停止件数が所定の第２閾値に達していると判定すると（Ｓ３１２／ＹＥＳ）、制御部１９の制御指令送信部１９Ｃは、対監視端末用送受信部１６を介して当該地域に対する停止制御指令を監視端末２へ送信する（Ｓ３１３）。
【００４８】
そして、制御部１９は、当該地域に対応する停止フラグをＯＮ状態にした後（Ｓ３１４）、内部において地域Ａ〜Ｃ毎に設定された動作カウンタ（図示せず）のうち、Ｓ３０２において特定した地域に対応する動作カウンタを０に設定し、Ｓ３０１からの制御処理が繰り返される。
【００４９】
次に、本実施形態に係る監視端末２の制御処理について、図４を参照して詳細に説明する。
【００５０】
図４は監視端末２の制御処理の流れを示すフローチャートである。
【００５１】
図４に示すように、監視端末２の制御部１４は、対エレベータ用送受信部１１を介してエレベータ制御装置９からファンスイッチ８の操作信号を受信したかどうかを確認する（Ｓ４０１）。このとき、制御部１４は、ファンスイッチ８の操作信号を受信したことを確認すると（Ｓ４０１／ＹＥＳ）、制御部１４のファン運転状態通知部１４Ａは、受信したファンスイッチ８の操作信号からファン７の運転状態が動作状態であるかどうかを判断する（Ｓ４０２）。
【００５２】
Ｓ４０２において、ファンスイッチ８の操作信号がＯＮ状態の操作信号のときには、ファン運転状態通知部１４Ａは、ファン７の運転状態が動作状態であると判断するので（Ｓ４０２／ＹＥＳ）、対監視センタ用送受信部１２を介してファン７の動作状態信号を監視センタ３へ送信し（Ｓ４０３）、Ｓ４０１からの制御処理が行われる。
【００５３】
Ｓ４０２において、ファンスイッチ８の操作信号がＯＦＦ状態の操作信号のときには、ファン運転状態通知部１４Ａは、ファン７の運転状態が動作状態でない、すなわちファン７の運転状態が停止状態であると判断するので（Ｓ４０２／ＮＯ）、対監視センタ用送受信部１２を介してファン７の停止状態信号を監視センタ３へ送信し（Ｓ４０４）、Ｓ４０１からの制御処理が行われる。
【００５４】
一方、Ｓ４０１において、制御部１４は、ファンスイッチ８の操作信号を受信していないことを確認すると（Ｓ４０１／ＮＯ）、対監視センタ用送受信部１２を介して監視センタ３から動作制御指令を受信したかどうかを確認する（Ｓ４０５）。このとき、制御部１４は、動作制御指令を受信したことを確認すると（Ｓ４０５／ＹＥＳ）、対エレベータ用送受信部１１を介して当該動作制御指令を、該当する地域に属する各エレベータ１のエレベータ制御装置９へ送信し（Ｓ４０６）、Ｓ４０１からの制御処理が繰り返される。
【００５５】
Ｓ４０５において、制御部１４は、動作制御指令を受信していないことを確認する（Ｓ４０５／ＮＯ）、対監視センタ用送受信部１２を介して監視センタ３から停止制御指令を受信したかどうかを確認する（Ｓ４０７）。このとき、制御部１４は、停止制御指令を受信したことを確認すると（Ｓ４０７／ＹＥＳ）、対エレベータ用送受信部１１を介して当該停止制御指令を、該当する地域に属する各エレベータ１のエレベータ制御装置９へ送信し（Ｓ４０８）、Ｓ４０１からの制御処理が繰り返される。
【００５６】
Ｓ４０７において、制御部１４は、停止制御指令を受信していないことを確認すると（Ｓ４０７／ＮＯ）、Ｓ４０１からの制御処理が繰り返される。
【００５７】
このように構成した本実施形態によれば、監視センタ３における制御部１９の制御指令送信部１９Ｃが、地域Ａ〜Ｃのうち、地域判定部１９Ｂによって判定された動作件数が所定の第１閾値に達した地域に属する各エレベータ１のエレベータ制御装置９に動作制御指令を送信することにより、これらのエレベータ制御装置９によって当該地域の各エレベータ１のファン７が一斉に動作する。そのため、当該地域において、例えば、夏場のように各エレベータ１の乗りかご６内の温度や湿度等が上昇しても、乗りかご６内の乗客が室内の環境に対して不快に感じる前に、乗りかご６内がファン７によって自動的に換気されることにより、当該地域の気候の変化に応じて乗りかご６内の環境を適切に調整することができる。
【００５８】
また、制御指令送信部１９Ｃが、地域Ａ〜Ｃのうち、地域判定部１９Ｂによって判定された停止件数が所定の第２閾値に達した地域に属する各エレベータ１のエレベータ制御装置９に停止制御指令を送信することにより、これらのエレベータ制御装置９によって当該地域の各エレベータ１のファン７が一斉に停止する。そのため、当該地域において、例えば、夜間のように各エレベータ１の乗りかご６内の温度や湿度等が低下しても、ファン７による乗りかご６内の換気が迅速に中止されることにより、乗りかご６内が過度に冷却されるのを抑制することができる。
【００５９】
このように、本実施形態は、乗りかご６内に温度や湿度等を感知するセンサを設置しなくても、地域Ａ〜Ｃ毎における各エレベータ１の乗りかご６内の環境の変化を捉えて乗りかご６のファン７の運転を自動的に切替えることができるので、乗りかご６内の環境を安価で快適な状態に保つことができる。これにより、エレベータ１の乗客に対して優れたサービス性を提供することができる。
【００６０】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００６１】
１  エレベータ
２  監視端末
３  監視センタ
４  公衆回線網（通信回線）
６  乗りかご
７  ファン
８  ファンスイッチ
９  エレベータ制御装置（ファン運転制御部）
１１  対エレベータ用送受信部
１２  対監視センタ用送受信部
１３  記憶部
１４  制御部
１４Ａ  ファン運転状態通知部
１６  対監視端末用送受信部
１７  記憶部
１８Ａ〜１８Ｃ  物件データベース
１９  制御部
１９Ａ  演算部
１９Ｂ  地域判定部
１９Ｃ  制御指令送信部
２０  入出力部
【図１】
2016044069.tif 000003
【図２】
2016044069.tif 000004
【図３】
2016044069.tif 000005
【図４】
2016044069.tif 000006